(57)【要約】【課題】認識率や認識処理時間を改善して実用性に優れ、かつ、盗難や紛失によって生じる他人のなりすまし等の不正使用を防止可能な、セキュリティの高い個体認証システムを提供する。【解決手段】ユーザの身体に装着される被認証装置１００と、ユーザの認証を行なう認証装置２００とから構成され、被認証装置１００は、被認証装置１００を構成する各部を稼動させるための電源を供給する電源供給部１２０と、ユーザの生体情報を記憶しておくための生体情報格納部１４０と、生体情報格納部１４０から生体情報を読み出して認証装置２００に送信する通信部１３０とを備え、認証装置２００は、被認証装置１００から送信された生体情報を受信する通信部２１０と、ユーザ認証のための認証情報を記憶しておくための認証情報格納部２３０と、受信した生体情報と認証情報とを照合してユーザ認証を行なう認証部２２０とを備える。【選択図】        図２
2005301448.tif 000002
【特許請求の範囲】
【請求項１】
特定の個体の生体情報または／および生体識別情報を用いて前記特定の個体であることを認証する個体認証システムであって、
前記個体認証システムは、
前記特定の個体の身体に装着される被認証装置と、前記特定の個体の認証を行なう認証装置とから構成され、
前記被認証装置は、
前記被認証装置を稼動させるための電源を供給する電源供給手段と、
前記特定の個体の生体情報または／および生体識別情報を記憶しておくための記憶手段と、
前記生体情報または／および生体識別情報を前記認証装置に向けて送信する送信手段とを備え、
前記認証装置は、
前記被認証装置から送信された生体情報または／および生体識別情報を受信する受信手段と、
受信した生体情報または／および生体識別情報を用いて前記特定の個体の認証を行なう認証手段とを備える
ことを特徴とする個体認証システム。
【請求項２】
前記被認証装置は、さらに、
前記記憶手段に記憶されている生体情報または／および生体識別情報を消去する消去手段を備える
ことを特徴とする請求項１記載の個体認証システム。
【請求項３】
前記被認証装置は、さらに、
ユーザからの指示の入力を受け付ける操作受付手段、または、装置外部からの無線信号を受信する無線信号受信手段の少なくとも一方を備え、
前記消去手段は、前記操作受付手段がユーザから生体情報または／および生体識別情報を消去する指示の入力を受け付けた場合に、または、前記無線信号受信手段が生体情報または／および生体識別情報を消去するための無線信号を受信した場合に、前記記憶手段に記憶されている生体情報または／および生体識別情報を消去する
ことを特徴とする請求項２記載の個体認証システム。
【請求項４】
前記被認証装置は、さらに、
前記被認証装置の身体への装着状態を検知する検知手段を備え、
前記送信手段は、前記検知手段が装着状態であることを検知した場合に、前記生体情報または／および生体識別情報を前記認証装置に向けて送信可能とし、
前記消去手段は、前記検知手段が所定の時間内に装着状態であることを検知しない場合に、前記記憶手段に記憶されている生体情報または／および生体識別情報を消去する
ことを特徴とする請求項２記載の個体認証システム。
【請求項５】
前記記憶手段は、さらに、前記認証装置における認証を受けるための電子鍵を記憶しており、
前記被認証装置は、さらに、
前記検知手段が装着状態であることを検知している場合に前記電子鍵を有効化する電子鍵有効化手段を備え、
前記送信手段は、前記生体情報または／および生体識別情報と有効化された電子鍵とを前記認証装置に向けて送信し、
前記認証装置において、
前記受信手段は、前記被認証装置から送信された生体情報または／および生体識別情報と電子鍵とを受信し、
前記認証手段は、前記受信した生体情報または／および生体識別情報と電子鍵とを用いて前記特定の個体の認証を行なう
ことを特徴とする請求項４記載の個体認証システム。
【請求項６】
前記検知手段は、前記個体の体温、脈拍または皮膚に照射した光のうち、少なくとも１つに基づいて前記装着状態を検知する
ことを特徴とする請求項４または５記載の個体認証システム。
【請求項７】
前記検知手段は、前記個体の体温を検知し
前記電源供給手段は、検知された体温の温度差を用いて発電する
ことを特徴とする請求項４〜６のいずれか１項に記載の個体認証システム。
【請求項８】
前記被認証装置は、さらに、
前記記憶手段に前記生体情報または／および生体識別情報を記憶させる登録手段を備える
ことを特徴とする請求項１〜７のいずれか１項に記載の個体認証システム。
【請求項９】
前記送信手段は、
電波状況を検知する電波状況検知部と、
前記生体情報または／および生体識別情報の送信を制御する混信防止部とを備える
ことを特徴とする請求項１〜８のいずれか１項に記載の個体認証システム。
【請求項１０】
前記送信手段は、
前記認証装置に送信する前記生体情報または／および生体識別情報を暗号化する暗号化部を備え、
前記暗号化部において暗号化した生体情報または／および生体識別情報を前記認証装置に向けて送信する
ことを特徴とする請求項１〜９のいずれか１項に記載の個体認証システム。
【請求項１１】
前記被認証装置は、腕時計、装身具または衣服に内蔵されている
ことを特徴とする請求項１〜１０のいずれか１項に記載の個体認証システム。
【請求項１２】
被認証装置と認証装置とから構成され、前記認証装置において特定の個体の生体情報または／および生体識別情報を用いて前記特定の個体であることを認証する個体認証システムにおける被認証装置であって、
前記被認証装置は、前記特定の個体の身体に装着され、
前記被認証装置を稼動させるための電源を供給する電源供給手段と、
前記特定の個体の生体情報または／および生体識別情報を記憶しておくための記憶手段と、
前記生体情報または／および生体識別情報を前記認証装置に向けて送信する送信手段とを備える
ことを特徴とする被認証装置。
【請求項１３】
前記被認証装置は、さらに、
前記記憶手段に記憶されている生体情報または／および生体識別情報を消去する消去手段と、
前記被認証装置の身体への装着状態を検知する検知手段とを備え、
前記送信手段は、前記検知手段が装着状態であることを検知した場合に、前記生体情報または／および生体識別情報を前記認証装置に向けて送信可能とし、
前記消去手段は、前記検知手段が所定の時間内に装着状態であることを検知しない場合に、前記記憶手段に記憶されている生体情報または／および生体識別情報を消去する
ことを特徴とする請求項１２記載の被認証装置。
【請求項１４】
特定の個体の生体情報または／および生体識別情報を用いて前記特定の個体であることを認証する個体認証方法であって、
前記特定の個体の身体に装着される被認証装置において、
前記被認証装置を稼動させるための電源を供給する電源供給ステップと、
前記特定の個体の生体情報または／および生体識別情報を保持する保持ステップと、
前記生体情報または／および生体識別情報を前記認証装置に向けて送信する送信ステップとを含み、
前記特定の個体の認証を行なう認証装置において、
前記被認証装置から送信された生体情報または／および生体識別情報を受信する受信ステップと、
受信した生体情報または／および生体識別情報を用いて前記特定の個体の認証を行なう認証ステップとを含む
ことを特徴とする個体認証方法。
【発明の詳細な説明】
【技術分野】
【０００１】
本発明は、生体情報（バイオメトリクス情報）や個体を特定し識別するための生体識別情報を用いて個体の認証を行なう個体認証システムに関する。
【背景技術】
【０００２】
近年、生体情報等を利用した個人認証技術への注目が集まっており、種々の分野（例えば、入退室管理や自動車のキー等）で実用化されつつある。生体情報は、個人固有の指紋パターンや掌紋パターン等であり、他人と同一のものは存在しないと言われており、生体情報を利用することによって、盗難や紛失等によって生じる他人のなりすまし等の不正使用を防ぐことができ、これまでの暗証番号による個人認証よりも、セキュリティの高い認証を行なうことができるからである。また、生体識別情報は、例えば、母親の旧姓や趣味等の情報や、これらを組み合わせた情報であり、本人しか知り得ない情報を用いることで、生体情報と同様に、セキュリティの高い認証を行ないうる。
【０００３】
生体情報等を利用した個人認証技術への注目が集まるにつれて、様々な提案がなされている。例えば、特許文献１には、複数のユーザの生体情報を単一のＩＣカードに登録するカード登録装置と、個人認証を行うべきユーザの生体情報を取得し、取得した生体情報をＩＣカードの生体情報と比較して、ユーザの生体情報がＩＣカードの何れかのユーザの生体情報と一致するとき、ユーザを真正なユーザと判定する個人認証装置とを備える個人認証システムが開示されている。
【０００４】
このように、生体情報を利用した個人認証システムは、一般的に、指紋パターン等の特徴データを認証機器に予め登録しておき、認証時に特徴データを認証機器に入力し、認証装置において、登録された特徴データと入力された特徴データとが、所定の誤差の範囲で一致するか否かを判定して、個人認証を行なう仕組みになっている。
【特許文献１】特開２００４−７０７７８号公報
【発明の開示】
【発明が解決しようとする課題】
【０００５】
しかしながら、上記従来の個人認証システムの仕組みには、指紋や虹彩等の生体情報を機器に読み取らせる際の認識率が低く、また、認識に時間を要するという問題が残されている。例えば、指紋による認証の場合、指紋の薄い人は、何度も入力を繰り返さなければならず、また、虹彩による認証の場合も、光の照射の具合によって認識率が変わる等、従来の個人認証システムは、実用性の面で満足できるレベルに達しているとは言い難い。
【０００６】
一方、実用性の面では高いレベルにあると考えられる従来の暗証番号による個人認証システムにおいて、暗証番号の入力の仕組みを複雑化することでセキュリティが高められる場合もあるが、暗証番号を忘失してしまうおそれがあり、入力に時間を要する等の問題がある。また、生体識別情報による個人認証システムの場合も、同様に、忘失のおそれおよび入力時間を要するという問題がある。
【０００７】
そこで、本発明は、上記問題点に鑑みなされたものであり、認識率や認識処理時間を改善して実用性に優れ、かつ、盗難や紛失によって生じる他人のなりすまし等の不正使用を防止可能な、セキュリティの高い個体認証システムを提供することを目的とする。
【課題を解決するための手段】
【０００８】
上記目的を達成するために、本発明に係る個体認証システムは、特定の個体の生体情報または／および生体識別情報を用いて前記特定の個体であることを認証する個体認証システムであって、前記個体認証システムは、前記特定の個体の身体に装着される被認証装置と、前記特定の個体の認証を行なう認証装置とから構成され、前記被認証装置は、前記被認証装置を稼動させるための電源を供給する電源供給手段と、前記特定の個体の生体情報または／および生体識別情報を記憶しておくための記憶手段と、前記生体情報または／および生体識別情報を前記認証装置に向けて送信する送信手段とを備え、前記認証装置は、前記被認証装置から送信された生体情報または／および生体識別情報を受信する受信手段と、受信した生体情報または／および生体識別情報を用いて前記特定の個体の認証を行なう認証手段とを備えることを特徴とする。これによって、認証を受ける際に被認証装置から生体情報等を認証装置に送信するので、認証処理の時間を短縮することができる。また、被認証装置が自ら電源を持つことで、認証装置における生体情報等の読み取り可能な距離を飛躍的に伸ばすことができ、認証時における操作性を向上させることが可能となる。
【０００９】
ここで、前記被認証装置は、さらに、前記記憶手段に記憶されている生体情報または／および生体識別情報を消去する消去手段を備えるとしてもよく、前記被認証装置は、さらに、前記被認証装置の身体への装着状態を検知する検知手段を備え、前記送信手段は、前記検知手段が装着状態であることを検知した場合に、前記生体情報または／および生体識別情報を前記認証装置に向けて送信可能とし、前記消去手段は、前記検知手段が所定の時間内に装着状態であることを検知しない場合に、前記記憶手段に記憶されている生体情報または／および生体識別情報を消去するのが好ましい。これによって、被認証装置は、ユーザの身体に装着されて初めて生体情報等の送信が可能となり、また、ユーザの身体から脱着されて所定の時間経過後に生体情報等を消去するので、他人の不正使用を効果的に防止することができ、セキュリティの高い個体認証システムが実現される。
【００１０】
また、前記送信手段は、電波状況を検知する電波状況検知部と、前記生体情報または／および生体識別情報の送信を制御する混信防止部とを備えるのが好ましい。このような構成とすることで、一度に複数のユーザが認証装置に集中した場合でも、認証装置側での認証処理をスムーズに行なうことが可能となるという効果が発揮される。
【００１１】
なお、本発明は、このような個体認証システムとして実現することができるだけでなく、このような個体認証システムを構成する各装置が備える特徴的な手段をステップとする個体認証方法として実現することもできる。
【発明の効果】
【００１２】
このように、本発明に係る個体認証システムによれば、被認証装置は、予め生体情報等を保持し、認証を受ける際に生体情報等を認証装置に送信するので、認証装置側での処理時間を短縮することができる。また、被認証装置が自ら電源を持ち、保持している生体情報等を認証装置に送信するので、認証装置が生体情報等を読み取ることができる距離を飛躍的に伸ばすことが可能となる。さらに、被認証装置がユーザの身体に装着されることで生体情報等の送信が可能となり、また、ユーザの身体から脱着されて所定の時間を経過すると保持している生体情報等を消去するので、なりすまし等の他人の不正使用を有効に防ぐことができ、セキュリティの高い個体認証システムを実現可能である。
【発明を実施するための最良の形態】
【００１３】
以下、本発明を実施するための最良の形態について詳細に説明する。なお、以下では、特に明示しない限り、生体情報という言葉は、生体識別情報の意味も含まれている、または、生体識別情報の意味に置換することができるものとする。
【００１４】
まず、本発明の実施の形態に係る個体認証システムについて図を用いて説明する。
図１は、本発明の実施の形態に係る個体認証システムの外観構成を示す図である。
個体認証システム１は、生体情報を用いて個体（ユーザ）の正当性を認証するシステムであり、認証を受けるユーザの身体に装着される被認証装置１００と、被認証装置１００から生体情報を取得してユーザの認証を行なう認証装置２００とから構成される。
【００１５】
被認証装置１００は、ユーザの生体情報を内部に格納しており、ユーザの身体に装着されることによって生体情報を認証装置２００に送信可能となる装置であり、本図では、腕時計により表されている。
【００１６】
認証装置２００は、ユーザ認証を行なうための生体情報（認証情報）を内部に格納しており、被認証装置１００から生体情報を受信し、認証情報と照合してユーザ認証を行なう装置であり、被認証装置１００から送信される生体情報を受信する受信部２０１を備えている。本図では、認証装置２００は、ゲート装置によって表されている。
【００１７】
図２は、個体認証システム１を構成する各装置の機能的な構成を示すブロック図である。
図２に示すように、被認証装置１００は、機能的な構成要素として、装着検知部１１０、電源供給部１２０、通信部１３０、生体情報格納部１４０、操作入力部１５０、情報消去部１６０、情報登録部１７０、電子鍵情報格納部１８０、および、復号化部１９０を備える。
【００１８】
装着検知部１１０は、被認証装置１００がユーザの身体に装着されていることを検知するセンサである。この装着検知部１１０として、例えば、ユーザの体温を感知する温度センサ、ユーザの脈拍を検知するセンサ、光により皮膚を検知するセンサを利用することができる。装着検知部１１０は、被認証装置１００が装着されている状態（装着状態）であることを検知すると、電源供給部１２０に被認証装置１００を構成する各部への電源供給を指示するとともに、通信部１３０を起動させる。また、装着検知部１１０は、被認証装置１００が装着されていない状態（非装着状態）であることを検知すると、電源供給部１２０に電源の供給を停止する指示を出力するとともに、通信部１３０の動作を停止させる。さらに、装着検知部１１０は、非装着状態であることを検知すると、被認証装置１００が非装着状態であることを情報消去部１６０に通知する。なお、装着検知部１１０は、常時、装着状態をチェックするとしてもよいが、所定の時間間隔で、間欠的に装着状態をチェックするとしてもよい。
【００１９】
電源供給部１２０は、装着検知部１１０からの指示に基づいて、被認証装置１００を構成する各部に電源を供給したり、電源供給を停止したりする。この電源供給部１２０は、例えば、ユーザの体温と外気温との温度差を用いて発電することによって（いわゆるゼーベック効果を利用した発電方法によって）、被認証装置１００を構成する各部を駆動させる。ここで、電源供給部１２０は、太陽電池を用いるとしてもよく、上記の温度差を用いた発電と太陽電池とを組み合わせるとしてもよい。
【００２０】
通信部１３０は、認証装置２００に生体情報や電子鍵情報を送信する通信インターフェースである。この通信部１３０は、装着検知部１１０からの起動指示および動作停止指示に基づいて動作し、操作入力部１５０から生体情報の送信指示を取得すると、生体情報格納部１４０から生体情報を読み出し、また、復号化部１９０から電子鍵情報を受け取り、所定の周波数帯域を用いた無線によって、認証装置２００へ生体情報等を送信する。また、この通信部１３０は、ユーザの生体情報を読み取る生体情報入力装置や、被認証装置１００に組み込む電子鍵情報を保持している装置等とも通信可能であり、被認証装置１００に登録する生体情報や電子鍵情報を受信すると、受信した情報を情報登録部１７０に出力するようになっている。さらに、この通信部１３０は、電波状況検知部１３１と混信防止部１３２とを備える。
【００２１】
電波状況検知部１３１は、電波状況を監視する処理部であり、通信部１３０が生体情報を送信する周波数と同じ帯域の電波を検知すると、混信防止部１３２に出力する。
混信防止部１３２は、アンチコリージョン（混信防止）のために通信部１３０の動作を制御するＣＰＵである。この混信防止部１３２は、電波状況検知部１３１が、生体情報を送信する周波数と同一の電波を検知すると、その電波が停止したことを検知するまで生体情報の送信を行なわないように制御する。なお、混信防止部１３２は、その他の混信防止手法を用いるとしてもよい。例えば、周波数帯域を分割して被認証装置１００間の相互干渉を避けるＦＤＭＡ(Frequency Division Multiple Access)方式や、時間帯を分割することで被認証装置１００間の相互干渉を防止するＴＤＭＡ(Time Division Multiple Access)方式、符号化によって混信を防止するＣＤＭＡ(Code Division Multiple Access)方式等を用いることも可能である。
【００２２】
生体情報格納部１４０は、ユーザの生体情報を格納するための記録領域を有する記録媒体であり、不揮発性メモリ等のメモリチップによって実現される。
操作入力部１５０は、ユーザからの操作を受け付ける入力インターフェースであり、ボタン等によって実現される。この操作入力部１５０としては、例えば、生体情報の送信指示を受け付けるための送信ボタンや、生体情報格納部１４０に記録されている生体情報の消去指示を受け付けるための消去ボタン、送信または消去する生体情報等を選択するための選択ボタン等がある。
【００２３】
情報消去部１６０は、生体情報格納部１４０に記録されている生体情報を消去する処理部である。この情報消去部１６０は、操作入力部１５０を介してユーザから受け付けた生体情報の消去指示に基づいて、生体情報格納部１４０に記録されている生体情報を消去する。また、この情報消去部１６０は、タイマーを備えており、装着検知部１１０が非装着状態であることを検知すると計時を開始する。そして、所定時間内に装着検知部１１０が装着状態であることを検知しなければ、生体情報格納部１４０に記録されている生体情報を消去する。
【００２４】
情報登録部１７０は、生体情報格納部１４０にユーザの生体情報を記録したり、電子鍵情報格納部１８０に電子鍵情報を記録したりする処理部である。この情報登録部１７０は、通信部１３０が受信した生体情報を取得して生体情報格納部１４０に格納する。また、情報登録部１７０は、通信部１３０が受信した電子鍵情報を取得すると、セキュリティの向上を図るために、取得した電子鍵情報を暗号化して電子鍵情報格納部１８０に格納する。なお、ここで、電子鍵情報は、通信部１３０に電子鍵を送信する装置側で予め暗号化された後に被認証装置１００へ送信されるとしてもよい。
【００２５】
電子鍵情報格納部１８０は、電子鍵情報を記録しておくための記憶領域を有する記録媒体であり、不揮発性メモリ等のメモリチップによって実現される。この電子鍵情報格納部１８０には、複数用途の電子鍵情報が利用分野別に記録されている。ここで、複数用途とは、例えば、入退室管理カードの代わりとしての用途（会社用途）や、キャッシュカードやクレジットカード等の代わりとしての用途（個人用途）や、免許証や定期券等の代わりとしての用途（公共用途）等である。
【００２６】
復号化部１９０は、電子鍵情報格納部１８０に記録されている電子鍵情報の暗号化を解除（復号化）する処理部である。この復号化部１９０は、装着検知部１１０が装着状態であることを検知すると、電子鍵情報格納部１８０から電子鍵情報を読み出して復号化し、通信部１３０に出力する。このとき、復号化部１９０は、複数の電子鍵情報の中から、ユーザが操作入力部１５０を介して選択した電子鍵情報を読み出して復号化して通信部１３０に出力する。
【００２７】
また、認証装置２００は、通信部２１０と、認証部２２０と、認証情報格納部２３０とを備える。
通信部２１０は、被認証装置１００から送信される生体情報や電子鍵情報を受信する通信インターフェースである。この通信部２１０は、所定の周波数帯域を用いた無線によって、被認証装置１００から生体情報等を受信し、受信した生体情報等を認証部２２０に出力する。
【００２８】
認証部２２０は、通信部２１０から出力される生体情報等を、認証情報格納部２３０に記録されている認証情報と照合して、ユーザ認証を行なう処理部である。
認証情報格納部２３０は、認証情報を格納しておくための記憶領域を有する記録媒体であり、ハードディスク等によって実現される。
【００２９】
次に、このように構成される個体認証システム１の処理手順について説明する。
図３は、個体認証システムの処理手順を示すシーケンス図である。
まず、ユーザの身体に被認証装置１００が装着されると、装着検知部１１０は、装着状態を検知し（Ｓ１０）、通信部１３０を起動させる（Ｓ１２）。
【００３０】
次に、操作入力部１５０を介してユーザから生体情報の送信を指示する操作を受け付けると、通信部１３０は、生体情報格納部１４０から生体情報を読み出して認証装置２００に送信する（Ｓ１４）。
【００３１】
認証装置２００は、通信部２１０を介して生体情報を受信すると、認証部２２０において、受信した生体情報を、認証情報格納部２３０に記録されている認証情報と照合してユーザ認証を行なう（Ｓ１６）。
【００３２】
ここで、ユーザの身体から被認証装置１００が脱着されると、装着検知部１１０は、非装着状態を検知し（Ｓ２０）、被認証装置１００が非装着状態であることを情報消去部１６０に通知するとともに、通信部１３０の動作を停止させる（Ｓ２２）。
【００３３】
情報消去部１６０は、装着検知部１１０から非装着状態の通知を取得すると、タイマーを起動させて、非装着状態の継続時間を計測する。そして、所定時間（Ｔ１）内に、装着検知部１１０が装着状態であることを検知しなければ、生体情報格納部１４０に記録されている生体情報を消去する（Ｓ２４）。
【００３４】
続いて、被認証装置１００が、暗号化された電子鍵を復号化して生体情報とともに認証装置２００に送信する場合の処理手順について説明する。
図４は、電子鍵を復号化して送信する際の処理手順を示すフローチャートである。
【００３５】
図３に示したシーケンス図と同様に、被認証装置１００は、ユーザの身体に装着されると、装着検知部１１０によって、装着状態を検知し（Ｓ１０）、通信部１３０を起動させる（Ｓ１２）。
【００３６】
ここで、電子鍵情報格納部１８０に複数の電子鍵情報が格納されている場合（Ｓ３０のＹｅｓ）、被認証装置１００は、送信する電子鍵情報の指定を、ユーザから操作入力部１５０を介して受け付ける（Ｓ３２）。電子鍵情報が指定されると、被認証装置１００は、復号化部１９０において、指定された電子鍵情報を電子鍵情報格納部１８０から読み出して復号化し、通信部１３０に出力する（Ｓ３４）。
【００３７】
一方、電子鍵情報格納部１８０に複数の電子鍵情報が格納されていない、すなわち、１つの電子鍵情報のみが格納されている場合（Ｓ３０のＮｏ）、被認証装置１００は、復号化部１９０において、その電子鍵情報を電子鍵情報格納部１８０から読み出して復号化し、通信部１３０に出力する（Ｓ３６）。
【００３８】
その後、被認証装置１００は、通信部１３０において、復号化した電子鍵情報を、生体情報格納部１４０から読み出した生体情報とともに、認証装置２００に送信し（Ｓ３８）、処理動作を終了する。
【００３９】
さらに続いて、被認証装置１００に生体情報を登録する際の処理について説明する。
上述のように、被認証装置１００は、予め生体情報を保持しており、装着状態であるときに送信ボタンの押下をトリガにして、保持している生体情報を認証装置２００に送信する。また、被認証装置１００は、非装着状態となって所定の時間が経過すると、保持している生体情報を消去する。そのため、被認証装置１００に生体情報を初期登録あるいは再登録することが必要となる。
【００４０】
図５（ａ）に、生体情報の登録処理の一例を示す。
本図では、生体情報の登録処理の一例として、指紋センサ等の生体情報取得部３０１を備えた生体情報登録装置３００が、ユーザの生体情報を読み取り、読み取った生体情報を無線によって被認証装置１００に送信する構成を示している。この構成において、被認証装置１００は、通信部１３０を介してユーザの生体情報を受信し、情報登録部１７０によって受信した生体情報を生体情報格納部１４０に記録する。なお、ここで、生体情報登録装置３００から被認証装置１００への生体情報の送信は、図５（ｂ）に示すケーブル３０２によって、すなわち、有線で行なうとしてもよい。また、生体情報登録装置３００について、生体情報取得部３０１と一体化された構成を説明したが、例えば、生体情報を取得する読取装置と、この読取装置と接続されたパーソナルコンピュータとによって代替するとしてもよい。なお、生体識別情報を登録する際には、パーソナルコンピュータのキーボード等の入力装置を介してユーザから生体識別情報の入力を受け付ける構成とすればよい。
【００４１】
以下に、生体情報の登録処理の手順について説明する。
図６は、生体情報の登録処理の手順を示すフローチャートである。
まず、被認証装置１００は、装着検知部１１０において、装着状態を検知すると（Ｓ４０）、通信部１３０を起動させる。そして、通信部１３０において、生体情報格納部１４０を参照して生体情報が記録されているか否かを判定する（Ｓ４２）。
【００４２】
生体情報が記録されていない場合（Ｓ４２のＹｅｓ）、生体情報登録装置３００が、生体情報の登録を受け付け（Ｓ４４）、入力された生体情報を被認証装置１００に送信する。
【００４３】
被認証装置１００は、通信部１３０を介して生体情報登録装置３００から登録対象の生体情報を受信し、受信した生体情報を情報登録部１７０に出力する。そして、被認証装置１００は、情報登録部１７０において、生体情報格納部１４０に生体情報を格納し（Ｓ４６）、処理動作を終了する。
【００４４】
上述のように、被認証装置１００は、ユーザの身体に装着されることによって、保持している生体情報を送信可能にし、ユーザの身体から脱着されることによって、生体情報の送信を不可能にする。そのため、被認証装置１００は、ユーザの身体に常時装着される装身具として実現するのが好ましい。
【００４５】
図７（ａ）に、被認証装置１００を腕時計とした場合の外観例を示す。また、図７（ｂ）には、腕時計の背面からの外観例を示す。
図７（ａ）に示すように、腕時計のケースの側面に、生体情報の送信を指示するための送信ボタン１０１や、送信する電子鍵情報を選択するための選択ボタン１０２、格納されている生体情報の消去を指示するための消去ボタン１０３を設け、時計のケースに、腕時計の動作電力を生み出す熱電素子や、生体情報を格納するためのメモリチップ、生体情報を送信するためのアンテナを内蔵させる。また、図７（ｂ）に示すように、ユーザの身体と接触する背面に、腕時計の装着を検知する装着検知センサ１０４を設ける。このようにすることで、被認証装置１００を腕時計として実現することができる。
【００４６】
同様にして、図７（ｃ）に示すように、被認証装置１０５を指輪として実現することもでき、図７（ｄ）に示すように、被認証装置１０６をペンダントとして実現することも可能である。
【００４７】
ところで、従来の個体認証システムは、被認証装置は、自ら電源を持たず、認証装置から動作電力から取得する構成（パッシブ方式）であり、認証装置が生体情報を被認証装置から取得可能な距離も数センチメートル程度である。これに対して、本実施の形態に係る個体認証システムは、上述のように、被認証装置１００が、自ら電源を持って発電する構成（アクティブ方式）であるため、認証装置２００が生体情報を被認証装置１００から取得可能な距離も数メートル程度とすることができ、システムにおける通信性能および認証を受ける際の操作性を飛躍的に向上させることができる。一方、被認証装置１００および認証装置２００間の通信性能が向上することによって、複数のユーザが一度に認証装置２００へ集中した場合の混信が問題となりうる。
【００４８】
以下では、本実施の形態に係る個体認証システムにおける混信防止処理について説明する。
図８は、混信防止処理を説明するための図である。
【００４９】
本図では、腕時計に内蔵された被認証装置１００が、認証装置２００の受信部２０１に生体情報を送信中であることが示されている。他方、帽子に内蔵された被認証装置１００ａおよび指輪に内蔵された被認証装置１００ｂは、認証装置２００の受信部２０１へ生体情報の送信を停止していることが示されている。
【００５０】
すなわち、被認証装置１００が生体情報を受信部２０１に送信しているとき、被認証装置１００ａおよび被認証装置１００ｂの電波状況検知部１３１は、生体情報を送信する周波数と同一の電波を検知していることとなるので、被認証装置１００から受信部２０１への生体情報の送信が終了するまで、被認証装置１００ａおよび被認証装置１００ｂの混信防止部１３２が、それぞれ生体情報の送信を行なわないように制御している。
【００５１】
このようにすることで、一度に複数のユーザがゲートに集中することとなっても、認証装置２００側での認証処理をスムーズに行なうことが可能となる。
以上説明したように、本実施の形態に係る個体認証システムによれば、被認証装置に予め生体情報を記録しておき、被認証装置から認証装置へ生体情報を送信してユーザ認証を行なうので、認証時の処理時間を短縮することができる。そして、認証時に生体情報を入力する必要がなく、入力時間を十分に取ることができるので、例えば、指紋の薄いユーザでも正確な情報を被認証装置および認証装置の双方に登録することが可能である。
【００５２】
また、被認証装置が自ら電源を持ち、保持している生体情報を認証装置へ送信するので、認証装置における生体情報の読み取り可能な距離を飛躍的に伸ばすことができ、認証を受ける際の操作性を向上させることができる。
【００５３】
さらに、被認証装置は、ユーザに装着されることによって、生体情報の送信を可能とし、脱着されて所定の時間を経過すると保持している生体情報を消去するので、他人によるなりすまし等の不正使用を効果的に防止することができる、セキュリティの高い認証システムが実現可能である。また、被認証装置に、認証装置に送信する生体情報等の通信データを暗号化する暗号化部を設けて、通信データを暗号化して送信し、認証装置において、通信データの暗号化を解除する暗号化解除部を設ける構成とすることで、更なるセキュリティの向上を図ることもできる。
またさらに、被認証装置に、複数用途の電子鍵情報を利用分野別で記録しておくことで、１つの装置で、様々な認証を受けることが可能となる。
【００５４】
このように、本実施の形態に係る個体認証システムは、従来問題となっている生体情報の認識率および認証処理時間の改善と、盗難や紛失によって生じる不正使用の防止を同時に図るものである。
【００５５】
以上、本発明に係る個体認証システムについて実施の形態に基づき説明したが、本発明は、この実施の形態に限定されるものではない。
例えば、上記実施の形態では、被認証装置は、送信ボタンを押下する操作を受け付けると、生体情報を認証装置へ送信するとしているが、認証装置が生体情報の取得を要求する所定の周波数の電波を周囲に向けて発信し、被認証装置がその電波を受信すると、生体情報を認証装置へ送信する構成としてもよい。
【００５６】
また、上記実施の形態では、被認証装置における生体情報を消去するトリガとして、非装着状態の所定時間経過後と、ユーザの消去ボタンを押下する操作を説明したが、例えば、被認証装置が、生体情報を消去する指示の無線信号を外部の装置から受信したことをトリガとしてもよい。
【００５７】
さらに、上記実施の形態では、腕時計や、指輪、ペンダントに被認証装置を内蔵させる例を説明したが、その他の装身具、例えば、ブレスレット等に内蔵させてもよいことはいうまでもなく、衣服に内蔵させるとしてもよい。
【００５８】
またさらに、本発明に係る個体認証システムにおける被認証装置は、人間以外の動物、例えば、犬や猫等のペットや、牛や豚等の家畜に装着させて、これらの動物の生態動向を監視するシステムに適用することも可能である。
【産業上の利用可能性】
【００５９】
本発明に係る個体認証システムは、生体情報等を用いた個人認証に適用することができ、例えば、入退室管理や決済システム等に好適である。
【図面の簡単な説明】
【００６０】
【図１】本発明の実施の形態に係る個体認証システムの外観構成を示す図である。
【図２】個体認証システムを構成する各装置の機能的な構成を示すブロック図である。
【図３】個体認証システムの処理手順を示すシーケンス図である。
【図４】電子鍵を有効化する際の処理手順を示すフローチャートである。
【図５】（ａ）は、生体情報の登録処理の一例を示す図であり、（ｂ）は、生体情報の登録処理の別の一例を示す図である。
【図６】生体情報の登録処理の手順を示すフローチャートである。
【図７】（ａ）は、被認証装置を腕時計とした場合の外観例を示す図である。（ｂ）は、腕時計の背面からの外観例を示す図である。（ｃ）は、被認証装置を指輪とした場合の外観例を示す図である。（ｄ）は、被認証装置をペンダントとした場合の外観例を示す図である。
【図８】混信防止処理を説明するための図である。
【符号の説明】
【００６１】
１    個体認証システム
１００、１００ａ、１００ｂ、１０５、１０６    被認証装置
１０１    送信ボタン
１０２    選択ボタン
１０３    消去ボタン
１０４    装着検知センサ
１１０    装着検知部
１２０    電源供給部
１３０、２１０    通信部
１３１    電波状況検知部
１３２    混信防止部
１４０    生体情報格納部
１５０    操作入力部
１６０    情報消去部
１７０    情報登録部
１８０    電子鍵情報格納部
１９０    復号化部
２００    認証装置
２０１    受信部
２２０    認証部
２３０    認証情報格納部
３００    生体情報登録装置
３０１    生体情報取得部
３０２    通信ケーブル
【図１】
2005301448.tif 000003
【図２】
2005301448.tif 000004
【図３】
2005301448.tif 000005
【図４】
2005301448.tif 000006
【図５】
2005301448.tif 000007
【図６】
2005301448.tif 000008
【図７】
2005301448.tif 000009
【図８】
2005301448.tif 000010